(57)【要約】【課題】車両の走行に影響を与える外乱に対応して、車両の駆動力を制御する車両用駆動力制御装置において、運転者にとってより適切な量の駆動力補正を行うことが可能な車両用駆動力制御装置を提供する。【解決手段】車両の走行に影響を与える外乱に対応して、車両の駆動力を制御する車両用駆動力制御装置において、運転者の指向を推定又は検出する運転者指向推定検出手段と、前記運転者の指向に基づいて、予め設定されている駆動力特性を変更する制御手段とを備えている。前記運転者の指向が車両の走行性能を重視したものであると判断された場合には、前記運転者の指向が車両の走行性能を重視したものであると判断されない場合に比べて、前記駆動力特性の変更量が大きくされることを特徴としている。【選択図】        図１
2008138570.tif 000002
【特許請求の範囲】
【請求項１】
車両の走行に影響を与える外乱に対応して、車両の駆動力を制御する車両用駆動力制御装置において、
運転者の指向を推定又は検出する運転者指向推定検出手段と、
前記運転者の指向に基づいて、予め設定されている駆動力特性を変更する制御手段と
を備えたことを特徴とする車両用駆動力制御装置。
【請求項２】
請求項１記載の車両用駆動力制御装置において、
前記運転者の指向が車両の走行性能を重視したものであると判断された場合には、前記運転者の指向が車両の走行性能を重視したものであると判断されない場合に比べて、前記駆動力特性の変更量が大きくされる
ことを特徴とする車両用駆動力制御装置。
【請求項３】
請求項１または２に記載の車両用駆動力制御装置において、
前記駆動力特性の変更は、アクセル開度に対するスロットル開度の特性値と、変速機の変速が行われる際の変速線位置の少なくともいずれか一方を変更する
ことを特徴とする車両用駆動力制御装置。
【請求項４】
請求項１から３のいずれか１項に記載の車両用駆動力制御装置において、
前記外乱は、路面勾配であり、
前記路面勾配が登りの勾配であり、かつ、前記運転者の指向が車両の走行性能を重視したものであると判断された場合には、前記路面勾配が登りの勾配であり、かつ、前記運転者の指向が車両の走行性能を重視したものであると判断されない場合に比べて、前記駆動力特性の変更量が大きくされる
ことを特徴とする車両用駆動力制御装置。
【請求項５】
請求項１から３のいずれか１項に記載の車両用駆動力制御装置において、
前記外乱は、路面勾配であり、
前記路面勾配が下りの勾配であり、かつ、前記運転者の指向が車両の走行性能を重視したものであると判断された場合には、前記路面勾配が下りの勾配であり、かつ、前記運転者の指向が車両の走行性能を重視したものであると判断されない場合に比べて、前記駆動力特性の変更量が小さくされる
ことを特徴とする車両用駆動力制御装置。
【発明の詳細な説明】
【技術分野】
【０００１】
本発明は、車両用駆動力制御装置に関する。
【背景技術】
【０００２】
車両の走行に影響を与える外乱に対応して、車両の駆動力を制御する車両用駆動力制御装置が知られている。
【０００３】
特開平９−４２００２号公報（特許文献１）には、アクセル操作量に対するスロットル開度に関係を所定の制御関数として設定し、該制御関数に基づきアクセル操作時のスロットル開度を制御する電子式スロットルを備えた車両用駆動力制御装置において、車両の現在進行道路の進行方向における所定距離先方の道路の路面状況を検出する路面状況検出手段と、該路面状況検出手段が検出した情報により、前記制御関数を前記路面状況に対応した特性に修正してアクセル操作量に対するスロットル開度を算出するスロットル開度算出手段を備えた技術が開示されている。
【０００４】
特開平１０−１１１０６号公報（特許文献２）には、運転状態を示す情報の一部を用いて、運転者の特性、運転状況のいづれか、あるいは両方を表す、運転状態指数を算出し、これに基づいて、動力源の特性を変化させる動力源総合制御方式の技術が開示されている。
【０００５】
特開２０００−２７６８２号公報（特許文献３）には、路面の登り勾配に基づいて、車両の駆動力を制御する以下の技術が開示されている。アクセル操作量を検出する手段と、この検出されたアクセル操作量に応じた平坦路での目標スロットル開度を通常目標スロットル開度として設定する手段と、重量勾配抵抗を検出する手段と、この検出された重量勾配抵抗を１００パーセントとしてこれ未満のパーセントの駆動力補正量を前記通常目標スロットル開度での車両駆動力に加算した駆動力を勾配対応目標駆動力としたとき、この勾配対応目標駆動力が発生する目標スロットル開度を勾配対応目標スロットル開度として演算する手段と、この演算された勾配対応目標スロットル開度を実現する手段とを備えるものである。
【０００６】
【特許文献１】特開平９−４２００２号公報
【特許文献２】特開平１０−１１１０６号公報
【特許文献３】特開２０００−２７６８２号公報
【発明の開示】
【発明が解決しようとする課題】
【０００７】
車両の走行に影響を与える外乱に対応して、車両の駆動力を制御する車両用駆動力制御装置において、車両の駆動力の制御が行なわれる場合に、どの程度の補償（駆動力補正）を行うかが問題となる。駆動力の補正量が不適切である場合には、運転者に違和感を与える場合がある。
【０００８】
本発明の目的は、車両の走行に影響を与える外乱に対応して、車両の駆動力を制御する車両用駆動力制御装置において、運転者にとってより適切な量の駆動力補正を行うことが可能な車両用駆動力制御装置を提供することである。
【課題を解決するための手段】
【０００９】
本発明の車両用駆動力制御装置は、車両の走行に影響を与える外乱に対応して、車両の駆動力を制御する車両用駆動力制御装置において、運転者の指向を推定又は検出する運転者指向推定検出手段と、前記運転者の指向に基づいて、予め設定されている駆動力特性を変更する制御手段とを備えている。
【００１０】
本発明の車両用駆動力制御装置において、前記運転者の指向が車両の走行性能を重視したものであると判断された場合には、前記運転者の指向が車両の走行性能を重視したものであると判断されない場合に比べて、前記駆動力特性の変更量が大きくされることを特徴としている。
【００１１】
本発明の車両用駆動力制御装置において、前記駆動力特性の変更は、アクセル開度に対するスロットル開度の特性値と、変速機の変速が行われる際の変速線位置の少なくともいずれか一方を変更することを特徴としている。
【００１２】
本発明の車両用駆動力制御装置において、前記外乱は、路面勾配であり、前記路面勾配が登りの勾配であり、かつ、前記運転者の指向が車両の走行性能を重視したものであると判断された場合には、前記路面勾配が登りの勾配であり、かつ、前記運転者の指向が車両の走行性能を重視したものであると判断されない場合に比べて、前記駆動力特性の変更量が大きくされることを特徴としている。
【００１３】
本発明の車両用駆動力制御装置において、前記外乱は、路面勾配であり、前記路面勾配が下りの勾配であり、かつ、前記運転者の指向が車両の走行性能を重視したものであると判断された場合には、前記路面勾配が下りの勾配であり、かつ、前記運転者の指向が車両の走行性能を重視したものであると判断されない場合に比べて、前記駆動力特性の変更量が小さくされることを特徴としている。
【発明の効果】
【００１４】
本発明の車両用駆動力制御装置によれば、車両の走行に影響を与える外乱に対応して、車両の駆動力を制御する車両用駆動力制御装置において、運転者にとってより適切な量の駆動力補正を行うことが可能となる。
【発明を実施するための最良の形態】
【００１５】
以下、本発明の車両用駆動力制御装置の一実施形態につき図面を参照しつつ詳細に説明する。
【００１６】
（第１実施形態）
図１から図５を参照して、第１実施形態について説明する。本実施形態は、外乱（例えば道路勾配等）に対応して駆動力を補償する車両用駆動力制御装置であって、運転者の走行指向を推定可能で、その推定値に基づいて、駆動量の補償量を変更するものである。
【００１７】
まず、第１実施形態の課題の一例について説明する。例えば、路面勾配に対して駆動力の補償を行う場合に、補償量（駆動力補正量）が適当である場合には、登坂路で車両が軽快に走る感じがするが、過大に補償すると、登坂路でも加速するといった違和感を生じする場合がある。これに対して、本実施形態では、駆動力補正量を運転者の運転指向に基づいて決定する。運転指向がスポーツ走行指向（走行性能を重視した指向）である場合には、駆動力補正量を大きくし、ノーマル走行指向である場合には、駆動力補正量を小さくする（ゼロを含む）。
【００１８】
本実施形態の構成としては、以下に詳述するように、路面勾配等の外乱を検出又は推定する手段と、アクセルペダル開度センサと電子式スロットル弁、有段変速機、無段変速機、ＨＶ、ＭＭＴ（自動変速モード付きマニュアルトランスミッション）等の自動変速機など車両の駆動力特性を変更可能な手段と、車両の横Ｇを検出又は推定する手段とが前提となる。
【００１９】
図２において、符号１０は自動変速機、４０はエンジンである。自動変速機１０は、電磁弁１２１ａ、１２１ｂ、１２１ｃへの通電／非通電により油圧が制御されて６段変速が可能である。図２では、３つの電磁弁１２１ａ、１２１ｂ、１２１ｃが図示されるが、電磁弁の数は３に限定されない。電磁弁１２１ａ、１２１ｂ、１２１ｃは、制御回路１３０からの信号によって駆動される。
【００２０】
アクセルペダル開度センサ１１４は、アクセルペダル１１２の開度を検出する。エンジン回転数センサ１１６は、エンジン４０の回転数を検出する。車速センサ１２２は、車速に比例する自動変速機１０の出力軸１２０ｃの回転数を検出する。シフトポジションセンサ１２３は、シフトポジションを検出する。パターンセレクトスイッチ１１７は、変速パターンを指示する際に使用される。加速度センサ９０は、車両の減速度（減速加速度）を検出する。横Ｇセンサ１０１は、車両の横Ｇを検出する。
【００２１】
ナビゲーションシステム装置９５は、自車両を所定の目的地に誘導することを基本的な機能としており、演算処理装置と、車両の走行に必要な情報（地図、直線路、カーブ、登降坂、高速道路など）が記憶された情報記憶媒体と、自立航法により自車両の現在位置や道路状況を検出し、地磁気センサやジャイロコンパス、ステアリングセンサを含む第１情報検出装置と、電波航法により自車両の現在位置、道路状況などを検出するためのもので、ＧＰＳアンテナやＧＰＳ受信機などを含む第２情報検出装置等を備えている。
【００２２】
道路勾配計測・推定部１１８は、ＣＰＵ１３１の一部として設けられることができる。道路勾配計測・推定部１１８は、加速度センサ９０により検出された加速度に基づいて、道路勾配を計測又は推定するものであることができる。また、道路勾配計測・推定部１１８は、平坦路での加速度を予めＲＯＭ１３３に記憶させておき、実際に加速度センサ９０により検出した加速度と比較して道路勾配を求めるものであることができる。
【００２３】
外乱検出・推定部１１５は、車両の走行に影響を与える外乱を検出又は推定する。アクセル開度、車速がそれぞれある値であり、かつ走行路面が平坦路で、乗員数が定員である等の条件にあるときに予想される目標車速（車速の理論値）又は目標加速度（加速度の目標値）を規範車速又は規範加速度とする。車両が実際には、その規範車速又は規範加速度で走行しないときに、その規範車速又は規範加速度では走行しないことに対して影響を与える全ての要素が外乱に含まれることができる。例えば、外乱には、路面勾配や、コーナリング抵抗や、車重や、走行する場所の標高、路面の粗さ（路面抵抗）、エンジン性能のばらつき、トランスミッションのひきずりのばらつきなどの車両の駆動力に影響を与える全ての外乱が含まれることができる。
【００２４】
外乱検出・推定部１１５は、例えば、アクセル開度、車速、乗車人数が定員でかつ走行路面が平坦路であるとの条件等から算出される理論値である基本駆動力と、実際の車両の駆動力の差を外乱であると検出又は推定することができる。また、外乱は、エンジントルクから決まる平坦路を走行したときに得られる加速度（基本駆動力／車重）と実加速度の差に基づいて求められることができる。
【００２５】
制御回路１３０は、アクセルペダル開度センサ１１４、エンジン回転数センサ１１６、車速センサ１２２、シフトポジションセンサ１２３、加速度センサ９０の各検出結果を示す信号を入力し、また、パターンセレクトスイッチ１１７のスイッチング状態を示す信号を入力し、また、横Ｇセンサ１０１による検出結果を示す信号を入力する。
【００２６】
制御回路１３０は、周知のマイクロコンピュータによって構成され、ＣＰＵ１３１、ＲＡＭ１３２、ＲＯＭ１３３、入力ポート１３４、出力ポート１３５、及びコモンバス１３６を備えている。入力ポート１３４には、上述の各センサ１１４、１１６、１２２、１２３、９０からの信号、上述のスイッチ１１７からの信号、横Ｇセンサ１０１からの信号、ナビゲーションシステム装置９５からの信号が入力される。出力ポート１３５には、電磁弁駆動部１３８ａ、１３８ｂ、１３８ｃが接続されている。
【００２７】
ＲＯＭ１３３には、予め図１のフローチャートに示す動作（制御ステップ）が格納されているとともに、自動変速機１０のギヤ段を変速するための変速マップ及び変速制御の動作（図示せず）が格納されている。制御回路１３０は、入力した各種制御条件に基づいて、自動変速機１０の変速を行う。
【００２８】
図１及び図２を参照して、本実施形態の動作を説明する。以下の動作は、主として、制御回路１３０により行われる。
【００２９】
［ステップＳ１０］
ステップＳ１０では、ころがり抵抗μr及び空気抵抗μAに基づいて、下記数式（１）により、平坦路でのロードロードＦfを計算する。
【数１】
2008138570.tif 000003
【００３０】
上記数式（１）において、車速Ｖは、実際に検出された値を用いる。車重Ｗも検出できれば、その検出された値を用い、検出できなければ、代表値を用いる（通常、車重Ｗの変化による影響は小さい）。
【００３１】
［ステップＳ２０］
次に、ステップＳ２０では、まず、下記数式（２）により、平坦路ロードロードと釣り合うタービントルクＴtを計算する。
【数２】
2008138570.tif 000004
【００３２】
ステップＳ２０では、次に、上記タービントルクＴtに対応するエンジントルクＴｅを求める。ロックアップクラッチ（Ｌ／Ｃ）がオンであれば、Ｔｅ＝Ｔtとなる。一方、トルクコンバータで結合された状態であれば、タービン出力特性により、エンジントルクＴｅを求める（その求め方は、一般事項であるため説明を省略する）。ステップＳ２０では、次に、エンジントルクＴｅからスロットル開度Ｔafを求める。
【００３３】
［ステップＳ３０］
次に、ステップＳ３０では、現在のロードロードを計算する。基準加速度と実加速度の差から道路勾配αが求められる。その道路勾配αを用いて、下記数式（３）により、現在のロードロードＦｆを求める。
【数３】
2008138570.tif 000005
【００３４】
［ステップＳ４０］
次に、ステップＳ４０では、現在のロードロードと釣り合うスロットル開度Ｔarを上記ステップＳ２０でスロットル開度Ｔafを求めた方法と同様の方法により、求める。
【００３５】
［ステップＳ５０］
次に、ステップＳ５０では、駆動力補正係数Ｋを求める。まず、ニューラルネットワーク（図示せず）で推定した運転指向推定値（図３のＮＮ値出力値）を読み込む。この運転指向推定値は、０〜１の値をとる（スポーツ走行指向が高いほど１に近い値）。図３に示すように、駆動力補正係数Ｋの値は、この運転指向推定値に対応した値となっている。
【００３６】
［ステップＳ６０］
次に、ステップＳ６０では、上記スロットル開度ＴafとＴarの差をスロットル開度補正値ΔＴaとして求める。
【００３７】
［ステップＳ７０］
次に、ステップＳ７０では、現状のスロットル開度Ｔａ’に対し、スロットル開度補正値ΔＴaに駆動力補正係数Ｋを乗じたものを加えたものを、最終スロットル開度Ｔａ’’として出力する。
【００３８】
ここで、本実施形態の前提について説明する。
【００３９】
基準加速度（αt）：その車速・アクセル開度で平坦路で得られる加速度αtは、下記数式（４）により求められる。
【数４】
2008138570.tif 000006
但し、Ｆは駆動力であり、Ｆfは平坦路を走行した場合の走行抵抗である。
【００４０】
実加速度（αr）：その車速・アクセル開度で実際に得られる加速度αrは、下記数式（５）により求められる。
【数５】
2008138570.tif 000007
但し、Ｆrは、現在の路面勾配を走行した場合の走行抵抗である。
【００４１】
基準加速度（αt）と実加速度（αr）の差（Δα）：道路勾配相当の加速度Δαは、下記数式（６）により求められる。
【数６】
2008138570.tif 000008
【００４２】
電子スロットル開度指令値（Ｔａ''）は、下記数式（７）により求められる。
【数７】
2008138570.tif 000009
【００４３】
電子スロットル開度指令値（Ｔａ''）は、道路勾配があるときに、平坦路と同じように加速度を得るために必要とされるものである。電子スロットル開度指令値（Ｔａ''）は、上記数式（７）に示すように、その開度で平坦路で釣り合う電子スロットル開度（Ｔaf）と実際に釣り合う電子スロットル開度（Ｔar）の差分（ΔＴａ）に駆動力補正係数Ｋを乗じたものを、現在の電子スロットル開度（Ｔａ’）に上乗せしたものとなる。ここで、駆動力補正係数Ｋは、運転指向推定値によって変わる。
【００４４】
図４を参照して、本実施形態の前提の動作について説明する。
【００４５】
図４において、符号４０１は、現状のアクセルペダル開度を示している。符号４０２は、平坦路のロードロードと釣り合うスロットル開度Ｔａf（Ｆf）を示している。ロードロードと釣り合うときには、車両は定常走行となり、車両の加速度はゼロとなる。符号４０３は、現状のアクセルペダル開度−電子スロットル開度特性（現状特性）を示している。現状特性４０３である場合には、現状のアクセルペダル開度が符号４０１であるとき、現状のスロットル開度は、符号Ｔａ’で示す値となる。
【００４６】
符号４０５は、平坦路において車両が定常走行するスロットル開度４０２と、現状のスロットル開度Ｔａ’との差を示しており、その差４０５の分だけ、車両が加速する。その差分４０５は、基準加速度相当スロットル開度である。ここでは、基準加速度αtが正の値であるケースを示している。
【００４７】
一方、符号４０６は、現在の路面勾配との関係で、現在の路面勾配のロードロードと釣り合うスロットル開度Ｔａr（Ｆr）を示している。現状のアクセルペダル開度４０１で現在の路面勾配を走行しているときに、現状特性４０３である場合には、実加速度相当スロットル開度４０９の分だけ車両が減速してしまう。そこで、本実施形態では、以下に述べるように、現状のアクセルペダル開度４０１で平坦路を走行して現状特性４０３の下、車両が加速する場合には、路面勾配が変わった場合にも同様に車両が加速するように、制御する。
【００４８】
符号ΔＴａは、平坦路のロードロードと釣り合うスロットル開度Ｔａf（Ｆf）４０２と、現在の路面勾配との関係でロードロードと釣り合うスロットル開度Ｔａr（Ｆr）４０６の変化量を示している。本実施形態では、現在のアクセルペダル開度４０１のときの現状特性４０３に基づくスロットル開度Ｔａ’に比べて、上記Ｋ＊ΔＴａで示す値だけスロットル開度が上昇した値Ｔａ''となるように、アクセルペダル開度−電子スロットル開度特性を、現状特性４０３から、路面勾配を考慮した後の特性（路面勾配考慮後特性）４０７に変更する。これにより、駆動力補正係数Ｋが１であるときに、現在の路面勾配において、現状のアクセルペダル開度４０１であるときに、現在の路面勾配のロードロードと釣り合うスロットル開度Ｔａr（Ｆr）４０６と、符号Ｔａ''で示すスロットル開度の差の分だけ、車両が加速する。これにより、路面勾配が変わっても平坦路を走行しているときと同じ加速度を得ることができる。
【００４９】
本実施形態では、上記構成を採用することにより、現状のアクセルペダル開度４０１で平坦路を走行して現状特性４０３の下、車両が加速する場合には、路面勾配が変わった場合にも同様に車両が加速することを実現することができる。
【００５０】
駆動力補正係数Ｋは、運転指向推定値によって変わる。運転指向がスポーツ走行指向である場合には、それ以外の場合（ノーマル走行指向である場合を含む）に比べて、大きくすることができる。例えば、運転指向がスポーツ走行指向である場合には、駆動力補正係数Ｋが１とされ、ノーマル走行指向である場合には、０よりも大きく１よりも小さな値に設定されることができる。
【００５１】
上記において、駆動力補正係数Ｋが１であるときに、道路勾配分を全て駆動力補償する。駆動力補正係数Ｋ＝０であるときには、駆動力補償量がゼロである。駆動力補正係数Ｋは０より大きく１よりも小さな値である場合には、道路勾配分を全て駆動力補償するのではなく、ゲインを落として駆動力補償を行う。
【００５２】
なお、上記において、運転指向は、ニューラルネットワークによって推定されたが、その構成に代えて、運転者自らによって操作され、運転者の選択した運転指向モードに切り替えるためのパターンセレクトスイッチの選択（切替）状態（パワーパターンかノーマルパターンか）に基づいて、運転指向が検出されることができる。
【００５３】
また、上記において、駆動力の補正は、電子スロットル開度の制御により行ったが、これに代えて、または、これと共に、変速機の変速を行う変速線の位置の変更や、ＭＧ（モータジェネレータ）による力行特性の変更により駆動力を追加することができる。
【００５４】
（第１実施形態の変形例）
また、上記実施形態においては、外乱のうち路面勾配に対して駆動力補償が行われる場合について説明した。これに対して、本変形例では、駆動力補償が行われる外乱は、路面勾配に限定されない。上述した外乱検出・推定部１１５により検出される外乱の全てが本実施形態の適用対象とされる。例えば、外乱には、コーナリング抵抗や、車重や、走行する場所の標高、路面の粗さ（路面抵抗）、エンジン性能のばらつき、トランスミッションのひきずりのばらつきなどが含まれ、このような外乱に対する駆動力補償の量は、運転指向によって異なるように設定される。
【００５５】
（第２実施形態）
次に、第２実施形態について説明する。
第２実施形態において、上記第１実施形態と共通する部分についての説明は省略する。
【００５６】
第２実施形態では、パターンセレクトスイッチにおいて運転者によって選択されているパターン（又はニューラルネットワークによって推定された運転指向）と、道路勾配と、駆動力補正係数Ｋの設定例について、図５を参照して説明する。
【００５７】
パターンセレクトスイッチにおいてパワー（Ｐ）パターンが選択されている場合（又はスポーツ走行指向であると推定された場合）には、駆動力補正係数Ｋは、以下のように設定される。
【００５８】
（１）走行路面が登坂路である場合には、道路勾配分を全て駆動力補償する（駆動力補正係数Ｋ＝１とする）。
（２）走行路面が降坂路である場合には、駆動力補償を行わない（駆動力補正係数Ｋ＝０とする）。降坂路で駆動力補償をするということは、スロットル開度を減少させて、車両を走らなくする方向であるため、駆動力補償を行わない。
【００５９】
一方、パターンセレクトスイッチにおいてノーマル（Ｎ）パターンが選択されている場合（又はノーマル走行指向が推定された場合）には、駆動力補正係数Ｋは、以下のように設定される。
【００６０】
（３）走行路面が登坂路である場合には、道路勾配分を全て駆動力補償するのではなく、ゲインを落として駆動力補償を行い、走りの自然さを確保する（駆動力補正係数Ｋは０より大きく１よりも小さな値、例えば０．５とする）。
（４）走行路面が降坂路である場合には、ある程度の駆動力補償を行い、走り易さの向上を図る（駆動力補正係数Ｋは０より大きく１よりも小さな値、例えば０．５とする）。ある程度の駆動力補償を行うことにより、車両が走り過ぎないようにする。
【００６１】
第２実施形態では、走行路面が登坂路であって、運転者の指向が走行性能を相対的に重視したものであるときには、運転者の指向が走行指向を相対的に重視しないときに比べて、駆動力の補正量を大きくし、走行路面が降坂路であって、運転者の指向が走行性能を相対的に重視したものであるときには、運転者の指向が走行指向を相対的に重視しないときに比べて、駆動力の補正量を小さくする。
【図面の簡単な説明】
【００６２】
【図１】本発明の車両用駆動力制御装置の第１実施形態の動作を示すフローチャートである。
【図２】本発明の車両用駆動力制御装置の第１実施形態の概略構成図である。
【図３】本発明の車両用駆動力制御装置の第１実施形態の運転指向を示すＮＮ出力値と駆動力補正係数Ｋの関係例を示す図である。
【図４】本発明の車両用駆動力制御装置の第１実施形態のアクセルペダル開度とスロットル開度の関係を示す図である。
【図５】本発明の車両用駆動力制御装置の第２実施形態のセレクトスイッチで切り替えられる運転パターンモードと、道路勾配との関係を示す図である。
【符号の説明】
【００６３】
１０  自動変速機
４０  エンジン
９０  加速度センサ
９５  ナビゲーションシステム装置
１１４  アクセルペダル開度センサ
１１５  外乱検出・推定部
１１６  エンジン回転数センサ
１１８  道路勾配計測・推定部
１２２  車速センサ
１２３  シフトポジションセンサ
１３０  制御回路
１３１  ＣＰＵ
１３３  ＲＯＭ
【図１】
2008138570.tif 000010
【図２】
2008138570.tif 000011
【図３】
2008138570.tif 000012
【図４】
2008138570.tif 000013
【図５】
2008138570.tif 000014